(57)【要約】【課題】  デジタルテレビ放送プログラムのスケジューリング方法及び装置を提供する。【解決手段】  ユーザがセグメント単位で予約録画や報知機能を設定すれば、該当セグメントの放映時間に合わせてプログラムを録画するか、プログラム放映時間であることをユーザに知らせるスケジューリング方法。放送ストリームを入力されてオーディオ、ビデオ、データをデコーディングして同期化し、セグメントメタデータをパージングする入力ストリーム管理部と、ユーザの命令による予約録画または報知機能などのスケジュールを管理するスケジュール管理部と、を含むスケジューリング装置。本発明によれば、ユーザは外部サーバの助け無しでも所望のプログラムをセグメント単位で予約録画が可能であり、報知機能を通じて所望のプログラムをセグメント単位で正確に視聴できる。【選択図】  図３
2005073244.tif 000002
【特許請求の範囲】
【請求項１】
デジタル放送プログラムのセグメント単位の放映スケジュール情報を含んでいるメタデータを入力される段階と、
前記メタデータ情報を用いて選択された少なくとも１つ以上のセグメントの放映時間にしなければならない作業を予約する段階と、
前記１つまたは複数のセグメントの放映時間になれば、前記予約された作業を行う段階と、を含むデジタルテレビ放送プログラムのスケジューリング方法。
【請求項２】
前記予約された作業は、録画であることを特徴とする請求項１に記載のデジタルテレビ放送プログラムのスケジューリング方法。
【請求項３】
前記予約された作業は、選択されたセグメントの放映時間になったことを知らせる報知機能であることを特徴とする請求項１に記載のデジタルテレビ放送プログラムのスケジューリング方法。
【請求項４】
前記報知機能は、該当セグメントの放映時間になったことをユーザが分かるようにディスプレイすることを特徴とする請求項３に記載のデジタルテレビ放送プログラムのスケジューリング方法。
【請求項５】
前記報知機能は、該当セグメントの放映時間になったことをユーザが分かるようにスピーカーを通じて音で知らせることを特徴とする請求項３に記載のデジタルテレビ放送プログラムのスケジューリング方法。
【請求項６】
該当セグメントを録画する段階をさらに含む特徴とする請求項３に記載のデジタルテレビ放送プログラムのスケジューリング方法。
【請求項７】
入力されたデジタルテレビ放送ストリームから放送プログラムの放映スケジュール情報とセグメント情報とを得て、これをセグメント情報データベースに送る入力ストリーム管理部と、
前記セグメント情報データベースに放送プログラムの放映スケジュール情報とセグメント情報とを用いて特定セグメントに対するユーザの作業予約命令による制御部の制御信号によって該当セグメントに対するスケジュールを管理し、該当セグメントの放映時間になれば、該当セグメントに対する予約作業を行えるように予約された作業情報を前記制御部に送るスケジュール管理部と、を含むデジタルテレビ放送プログラムのスケジューリング装置。
【請求項８】
前記入力ストリーム管理部は、前記放送ストリームからオーディオ、ビデオ、及びデータを分離して同期化して前記コンテンツデータベース及び前記ディスプレイ部のうち少なくとも１箇所に転送し、プログラム放映に関する情報と各プログラムのセグメントに関する情報とを抽出するストリーム管理部、及び前記ストリーム管理部からプログラム放映に関する情報と各プログラムのセグメントに関する情報とを受けてパージングするメタデータハンドラーを含むことを特徴とする請求項７に記載のデジタルテレビ放送プログラムのスケジューリング装置。
【請求項９】
前記メタデータハンドラーは、ＭＰＥＧ−２ＴＳストリームのＰＳＩセクションとＰＳＩＰテーブルとをパージングするＰＳＩ／ＰＳＩＰパーザとＸＭＬとで記述されたセグメントメタデータをパージングするＸＭＬパーザとを含むことを特徴とする請求項８に記載のデジタルテレビ放送プログラムのスケジューリング装置。
【請求項１０】
前記スケジュール管理部が制御部に送る予約された作業情報は録画情報であることを特徴とする請求項７に記載のデジタルテレビ放送プログラムのスケジューリング装置。
【請求項１１】
前記スケジュール管理部が制御部に送る予約された作業情報は、ユーザに該当セグメントの放映時間になったことを知らせる報知機能情報であることを特徴とする請求項７に記載のデジタルテレビ放送プログラムのスケジューリング装置。
【発明の詳細な説明】
【技術分野】
【０００１】
本発明は、デジタルテレビ放送プログラムのスケジューリング方法及び装置に係り、より詳細にはデジタルテレビ放送プログラムのセグメント単位でデジタルテレビ放送プログラムを予約録画するか、放送開始を知らせるプログラムスケジューリング方法及び装置に関する。
【背景技術】
【０００２】
デジタルテレビ環境では、一日に数十個のチャンネルから数百個のプログラムを送る。ユーザは、このような数百個の放送プログラムに関する情報が載せられている電子プログラムガイド（Ｅｌｅｃｔｒｏｎｉｃ  Ｐｒｏｇｒａｍ  Ｇｕｉｄｅ；以下、ＥＰＧと称する）を放送信号と共に伝送されうる。ユーザは、ＥＰＧを用いて特定放送プログラムの詳細情報を見ることができ、チャンネルチューニングまたは時間帯別またはチャンネル別に多数のプログラム情報を検索できる。また、あらかじめ視聴を希望するプログラムをスケジューリングして予約録画するか、報知機能を設定する等放送プログラムに対するスケジューリングを行える。
【０００３】
図１は、従来のスケジューリングリスト画面の一例を示す画面である。
ＥＰＧを用いたスケジューリングとは、ユーザが視聴を希望するプログラムに関するプログラムの放送時間情報、チャンネル情報などを、ＥＰＧを通じて確認した後、予約録画をするか、プログラムの放映時間に対する報知機能を設定することを言う。図１は、このようなユーザのアクションによりスケジューリングしたプログラムリストを示す画面である。図１に例示されたスケジューリング方式はプログラム単位でのみ可能なために、ユーザはプログラムの特定部分に対するスケジューリングができないという点でその効用性が制限的である。
【０００４】
図２は、従来の放送プログラムの選択的再生過程を示すフローチャートである。
図２の方式は特許文献１に開示されている方法であって、ユーザは保存しようとするプログラムを選択した後、それに関する情報をサーバに伝達し、サーバでは放送をモニタリングして放送の正確な開始時間と終了時間とを受ける。保存装置では、サーバから受けた正確な開始時間及び終了時間を以って選択したプログラムを録画する。
【０００５】
しかし、前記方法の場合には、外部サーバが常に関与しなければならないので、インターネット障害がある場合には予約録画や報知機能を行い難くなる。したがって、外部サーバの助けがなくても、プログラムを選択的に録画するか、放映時間を知らせる報知機能を行わせるスケジューリング方法や装置が必要である。
【特許文献１】大韓民国公開特許２００３−０１４９９３号公報
【発明の開示】
【発明が解決しようとする課題】
【０００６】
本発明は前記必要性によって案出されたものであって、外部サーバの助け無しでも放送プログラムのセグメント単位スケジューリングが可能なデジタルテレビ放送プログラムのスケジューリング方法及び装置を提供する。
【課題を解決するための手段】
【０００７】
前記目的を達成するためのデジタルテレビ放送プログラムのスケジューリング方法は、デジタル放送プログラムのセグメント単位の放映スケジュール情報を含んでいるメタデータを入力される段階と、前記メタデータ情報を用いて選択された少なくとも１つ以上のセグメントの放映時間にしなければならない作業を予約する段階、及び前記１つまたは複数のセグメントの放映時間になれば、前記予約された作業を行う段階を含む。前記予約された作業は録画またはセグメントの放映時間になったことを知らせる報知機能であることを特徴とするデジタルテレビ放送プログラムのスケジューリング方法であることが望ましい。前記報知機能は、該当セグメントの放映時間になったことをユーザが分かるようにディスプレイするか、スピーカーを通じて音で知らせることが望ましい。一方、報知機能が設定された場合でも該当セグメントを録画する段階をさらに含みうる。
【０００８】
前記目的達成のために、本発明に係るデジタルテレビ放送プログラムのスケジューリング装置は、入力されたデジタルテレビ放送ストリームから放送プログラムの放映スケジュール情報とセグメント情報とを得て、これをセグメント情報データベースに送る入力ストリーム管理部、及び前記セグメント情報データベースでの放送プログラムの放映スケジュール情報とセグメント情報を用いて特定のセグメントに対するユーザの作業予約命令による制御部の制御信号によって該当セグメントに対するスケジュールを管理し、該当セグメントの放映時間になれば、該当セグメントに対する予約作業を行うように予約された作業情報を前記制御部に送るスケジュール管理部を含む。
【０００９】
前記入力ストリーム管理部は、前記放送ストリームからオーディオ、ビデオ、及びデータを分離して同期化して前記コンテンツデータベース及び前記ディスプレイ部のうち少なくとも１箇所に転送し、プログラム放映に関する情報と各プログラムのセグメントに関する情報とを抽出するストリーム管理部、及び前記ストリーム管理部からプログラム放映に関する情報と各プログラムのセグメントに関する情報とを受けてパージングするメタデータハンドラーを含む。前記メタデータハンドラーは、ＭＰＥＧ−２ＴＳストリームのＰＳＩセクションとＰＳＩＰテーブルをパージングするＰＳＩ／ＰＳＩＰパーザとＸＭＬとで記述されたセグメントメタデータをパージングするＸＭＬパーザとを含むことが望ましい。
【００１０】
前記スケジュール管理部が制御部に送る予約された作業情報は、録画情報またはユーザに該当セグメントの放映時間になったことを知らせる報知機能情報のうち少なくとも１つを含むことが望ましい。
【発明の効果】
【００１１】
本発明によれば、ユーザは外部サーバの助け無しでも所望のプログラムのセグメント単位で予約録画が可能である。また、予約録画も、所望の部分にのみ録画が可能なので、プログラムの保存空間を節約できる。一方、ユーザは外部サーバの助け無しでも報知機能を通じて所望のプログラムをセグメント単位で正確に見ることができる。
【発明を実施するための最良の形態】
【００１２】
以下、添付した図面に基づいて本発明の望ましい実施例を詳細に説明する。
図３は、本発明の一実施例に係るデジタル放送プログラムをセグメント単位でスケジューリングする過程を示すフローチャートである。
【００１３】
まず、デジタルテレビの放送プログラム（コンテンツ）を含んでいるデータストリームと各放送プログラムのセグメントに関する情報を含んでいるセグメントメタデータとをセットトップボックスで受信する（Ｓ２）。現在デジタルテレビ放送でコンテンツを転送する方法としては、ＭＰＥＧ−２ＴＳ転送方式が主に用いられており、現時点から約２週程度の放送プログラムのスケジュールに関する情報も共に提供されている。セットトップボックスで受信するデータストリームは、ケーブル放送、地上波放送、衛星放送などの放送規格によってデマルチプレックスまたはチューニング及びデマルチプレックス過程を経て１つのプログラムを構成するＭＰＥＧ−２オーディオ、ビデオ、データストリームに区分される。一方、セグメントとは、プログラムを構成する連続的な区間の単位を意味し、セグメントメタデータとは、放送プログラムを構成するセグメントについて記述したものを意味する。セグメントの記述についてＴＶ−Ａｎｙｔｉｍｅメタデータを例とすれば、セグメントメタデータで記述される内容はセグメントに対するタイトル、シノプシス、セグメント開始時点、セグメント区間の長さ、セグメントキーフレームの開始時点、セグメントが属するグループ情報などを＜ＳｅｇｍｅｎｔＩｎｆｏｒｍａｔｉｏｎ＞に表現しうる。また、それぞれのセグメントをグルーピングしてセグメントグループ情報を表現しうる。セグメントグループメタデータで記述される内容は、イベント中心、または特定オブジェクト中心にセグメントをグルーピングしたものであって、ハイライト、ハイライト／イベント、ハイライト／オブジェクト、ブックマーク、主題グループ、プレビュー、目次等でグルーピングしうる。本発明ではセグメント情報とセグメントグループ情報とを用いてユーザが所望のプログラムの細部内容を予約録画するか、報知機能を設定可能にする。
【００１４】
セットトップボックスは、セグメントメタデータとデータストリームとを受信すれば、まずＭＰＥＧ−２オーディオ、ビデオ、データデコーディングを行う（Ｓ４）。データデコーディングを通じてＰＳＩ／ＰＳＩＰ部分を得られる。一方、セグメントメタデータはＭＰＥＧ−２ＴＳに載せて送る場合には、データデコーディングを通じて得られるが、これは例示的なものであって、本発明の技術的思想はこれに限定されるものではなく、セグメントメタデータを別途にインターネットなどを通じて伝送されることも本発明の技術的思想に含まれる。
【００１５】
デコーディング段階が終われば、ＰＳＩ／ＰＳＩＰパージングとセグメントメタデータパージングを行う（Ｓ６）。セグメントメタデータパージング過程はセグメントメタデータに含んでいるセグメント情報を解釈するために行う。ＰＳＩ／ＰＳＩＰ部分をパージングすることは、ＰＳＩＰテーブル内にＳＴＴ（Ｓｙｓｔｅｍ  Ｔｉｍｅ  Ｔａｂｌｅ）でＧＰＳ（Ｇｌｏｂａｌ  Ｐｏｓｉｔｉｏｎｉｎｇ  Ｓｙｓｔｅｍ）時間を探してＭＰＥＧ−２ビデオ内のＰＣＲ（Ｐｒｏｇｒａｍ  Ｃｌｏｃｋ  Ｒｅｆｅｒｅｎｃｅ）との時間同期のためである。すなわち、コンテンツと字幕などのデータを同期化するのに使用しうる。また、セグメントメタデータを通じてコンテンツに対するスケジューリングのためにも時間情報は使われる。
【００１６】
パージング段階（Ｓ６）を通じて得られた時間情報を通じてセットトップボックスはコンテンツの時間的同期化とセグメントメタデータのコンテンツに対する時間的同期化を行う（Ｓ８）。同期化はセットトップボックス内で独立して受信した放送コンテンツとセグメントメタデータ間の時間的同期化させる技術を意味する。セグメントメタデータとデータストリームとが同期化されれば、ユーザはセグメント情報を用いてプログラムのセグメント単位予約録画やユーザが指定したプログラムのセグメントが放送される前に知らせる報知機能を使用しうる。
【００１７】
セグメントメタデータとデータストリームとが同期化された後（Ｓ８）、ユーザは放送プログラムのスケジュール情報を用いてセグメント単位で予約録画や報知機能を設定する（Ｓ１０）。この際、放送プログラムのスケジュール情報には放映されるプログラムに関する情報とセグメント情報とが提供される。一方、放送プログラムのスケジュール情報にはＥＰＧのようにユーザに便利なインターフェースとして提供されることが望ましい。
ユーザによる予約録画や報知機能が設定されれば（Ｓ１０）、該当セグメントに対するデータストリームが転送される時間に合わせてセットトップボックス内のタイマーが動作される（Ｓ１２）。
【００１８】
タイマーを通じて予約録画時間か、報知時間かを判断し（Ｓ１４）、該当時間になれば該当セグメントに対するデータストリームを録画したり、該当セグメントの放映時間の直前、例えば、５分前にデジタルテレビのスクリーンを通じて、またはスピーカーを通じて該当セグメントの放映時間であることを知らせる（Ｓ１６）。一方、報知機能が設定されたケースに該当セグメントの放送時間にデジタルテレビがターンオフになっている場合には該当セグメントを録画することが望ましい。
【００１９】
セットトップボックスに受信される放送プログラムに対するセグメントメタデータは次のような方法で転送しうる。まず、放送局でプログラムストリームを製作してセグメントメタデータを生成し、これを共に転送する場合がある。このような場合を説明すれば、ＭＰＥＧ−２ＴＳストリーム内の一定領域にセグメントメタデータを挿入してユーザに転送することになるが、ユーザのセットトップボックスは受信されたＭＰＥＧ−２ＴＳストリームのセグメントメタデータ情報をパージングすることによって、ユーザにプログラムを構成するセグメント目録を提示しうる。他の方法では、放送局で放送ストリームをユーザとセグメントメタデータ製作者とに転送し、セグメントメタデータ製作者はこれを受信してプログラムに対するセグメントメタデータを作る。この場合、セグメントメタデータ製作者にはユーザより先にコンテンツを提供しなければならない。セグメントメタデータ製作者は作られたセグメントメタデータを放送局に転送すれば、放送局はセグメントメタデータをユーザに転送する。さらに他の方法では、放送プログラムに対するセグメントメタデータをウェブサーバに保存し、ユーザのセットトップボックスはウェブサーバを通じてセグメントメタデータを受信されることである。
【００２０】
前記の多様な方法により生成されて転送されたセグメントメタデータを用いた放送プログラムに対するスケジューリングの例は、図４Ａ、図４Ｂ、図４Ｃを通じて説明される。
図４Ａ、図４Ｂ、図４Ｃは各々本発明に係るスケジューリングの例を示す図面である。
図４Ａはドラマプログラムのセグメントの例を示す。ドラマが１部、２部で構成されている場合や、ドラマの上映中に広告が挿入されている場合、ユーザは広告を省略し、連続的なドラマの鑑賞を希望している。この際、セグメント情報を用いて所望のドラマプログラムだけを予約録画できる。また、ドラマ放映時間に合わせて視聴しようとするならば、ドラマ上映直前にこれを知らせうる。すなわち、ユーザは１０：００から１０：１０まで放映される広告の時間は他のチャンネルのプログラムを視聴する。１０：１０分になる直前にデジタルテレビの画面にドラマの開始直前であることを知らせるメッセージがディスプレイされる。ユーザはこのメッセージを見て視聴しようとしたドラマにチャンネルを変えてドラマを鑑賞できる。１１：００になってドラマ１部が終わって広告が始まれば、再び他のチャンネルのプログラムを視聴していて１１：１０になれば、ドラマ開始の報知メッセージによってチャンネルを変えてドラマを視聴する。一方、報知機能はデジタルテレビにディスプレイする方式以外にスピーカーを通じてユーザに知らせる方式でも可能である。
【００２１】
図４Ｂは、ニュースプログラムのセグメントの例を示す。ニュースプログラムに対するセグメントメタデータにニュースプログラムのジャンルに関する情報を含む場合であれば、ユーザはセグメントスケジューリングを通じて所望のジャンルのニュースだけを視聴できる。すなわち、図４Ｂでニュースは政治、経済、社会、短信、証券、天気予報の順に放映される時、ユーザはセグメントメタデータを用いて自分が視聴しようとする部分に対して予約録画するか、選択的に視聴しうる。すなわち、経済、証券及び天気予報の部分に対して視聴しようとするユーザはセグメントメタデータを用いて経済、証券及び天気予報の部分に対して予約録画をするか、報知機能を設定する。
【００２２】
図４Ｃは、音楽プログラムのセグメントの例を示す。音楽プログラムでセグメントは歌手を基準に分けられる。ユーザは、特定の歌手が出演する部分に対して予約録画や報知の設定を通じて該当歌手が出演した部分を視聴できる。図４Ｃに基づいてユーザは歌手Ａ及び歌手Ｂが出演する部分が全体音楽プログラムのうち何れの部分であるかが分かる。
【００２３】
図５は、本発明の一実施例によりデジタル放送プログラムのセグメント単位でスケジューリングするスケジューリング装置のブロック図である。図５の実施例では、ＭＰＥＧ−２ＴＳストリームを入力されて処理するスケジューリング装置を説明する。この際、セグメントメタデータはＴＶ−Ａｎｙｔｉｍｅスペックを満足する場合を説明する。
【００２４】
まずユーザインターフェース１０はユーザの命令を入力される。ユーザインターフェース１０はリモコンやデジタルテレビのメニューボタンまたはＯＳＤ（Ｏｎ  Ｓｃｒｅｅｎ  Ｄｉｓｐｌａｙ）などで有り得る。制御部２０はユーザインターフェース１０から入力されたユーザ命令を処理する。ストリーム管理部３０は放送局から伝送されたデジタルテレビ放送ストリームを処理する。図５の実施例においてデジタルテレビ放送ストリームにはプログラムに対するセグメントメタデータが共に載せられており、ストリーム管理部３０はオーディオ、ビデオ、データを分けて各々をデコーディングする。この際、ＰＳＩ／ＰＳＩＰセクションのデータ及びセグメントメタデータはメタデータハンドラー４０に送る。メタデータハンドラー４０はＰＳＩ/ＰＳＩＰセクションまたはＰＳＩＰテーブルなどをパージングして放送プログラムのスケジュール情報などを得て、ＴＶ−ＡｎｙｔｉｍｅスペックによるセグメントメタデータはＸＭＬ構文で記述されるので、ＸＭＬパージングして各プログラムに対するセグメント情報を得る。セグメント情報及び放送スケジュール情報は共にセグメント情報データベース５０に保存される。一方、オーディオ、ビデオ、及びデータ（字幕などのデータ）はコンテンツデータベース６０に保存されたり、ディスプレイ部８０に送られる。スケジュール管理部７０はユーザインターフェース１０から入力された命令によってセグメント単位スケジューリングを行う。以下、セグメント単位の予約録画動作及びセグメント単位の報知機能設定過程を説明する。
【００２５】
まず、予約録画過程を説明すれば、ユーザはセグメント情報データベース５０に保存されている放送スケジュール情報とセグメント情報とを用いて所望の放送プログラムの１つのセグメントまたは複数のセグメントを選択する。ユーザは、ユーザインターフェース１０を用いて選択したセグメントに対する録画ボタンを押せば、予約録画命令が制御部２０に伝達される。制御部２０は該当セグメントの放映開始時間と長さなどの情報と共に予約録画命令をスケジュール管理部７０に伝達する。スケジュール管理部７０は該当セグメントの放映開始時間になるまでタイミング計算を行う。一方、ストリーム管理部３０は入力されたデジタルテレビ放送ストリーム（ＭＰＥＧ−２ＴＳストリーム）でオーディオ、ビデオ、データなどを分離して同期化してコンテンツデータベース６０に一定時間分量、例えば、３０分の分量を臨時に保存する。もし、制御部２０から録画命令がなければ、臨時に保存したオーディオ、ビデオ、データなどを削除し、録画命令があれば、保存する。スケジュール管理部７０は予約録画時間になれば、予約録画時間になったことを制御部２０に知らせ、制御部はストリーム管理部３０に録画を希望するチャンネルに変更せよとの制御信号を送り、コンテンツデータベース６０には録画命令の制御信号を送る。コンテンツデータベース６０は録画命令によってストリーム管理部３０から受けたオーディオ、ビデオ、及びデータを保存する。
【００２６】
次いで、報知機能の設定過程を説明すれば、ユーザはセグメント情報データベース５０に保存されている放送スケジュール情報とセグメント情報とを用いて所望の放送プログラムの１つのセグメントまたは複数のセグメントを選択する。ユーザは、ユーザインターフェース１０を用いて選択したセグメントに対する報知機能ボタンを押せば、報知機能命令が制御部２０に伝達される。制御部２０は該当セグメントの放映開始時間の情報と共に報知機能命令をスケジュール管理部７０に伝達する。スケジュール管理部７０は該当セグメントの放映開始時間になるまでタイミング計算を行う。該当セグメントが放映される時間になれば、スケジュール管理部７０はこの事実を制御部２０に知らせ、制御部２０はディスプレイ部８０に該当セグメントの放映時間になったことを知らせる。もし、ディスプレイ部８０がターンオフになっている状況であれば、制御部はコンテンツデータベース６０に録画命令を下し、コンテンツデータベース６０は該当プログラムを録画する。一方、本発明で該当セグメントの放映時間はディスプレイ部８０を通じて知らせても良いが、スピーカー（図示せず）を介した音によって知らせても良い。
【００２７】
本発明の当業者ならば、本発明がその技術的思想や必須的な特徴を変更せずに他の具体的な形に実施可能であることを理解できるであろう。例えば、前記スケジューリングシステムでセグメント情報データベースとコンテンツデータベースとは別途の構成要素であると説明したが、１つのデータベースに２つの情報の何れをも保存させうる。したがって、以上で記述した一実施例はあらゆる面で例示的なものであり、限定的でないものと理解せねばならない。本発明の範囲は発明の詳細な説明よりは特許請求の範囲により示され、特許請求の範囲の意味及び範囲、そしてその等価概念から導出されるあらゆる変更または変形された形態が本発明の範囲に含まれると解釈されねばならない。
【産業上の利用可能性】
【００２８】
本発明はデジタルテレビ環境下で、デジタルテレビ放送プログラムのスケジューリング方法及び装置に適用されうる。
【図面の簡単な説明】
【００２９】
【図１】従来のスケジューリングリスト画面の一例を示す画面である。
【図２】従来の放送プログラムの選択的再生過程を示すフローチャートである。
【図３】本発明の一実施例に係るデジタル放送プログラムをセグメント単位でスケジューリングする過程を示すフローチャートである。
【図４Ａ】本発明に係るスケジューリングの例を示す図面である。
【図４Ｂ】本発明に係るスケジューリングの例を示す図面である。
【図４Ｃ】本発明に係るスケジューリングの例を示す図面である。
【図５】本発明の一実施例によりデジタル放送プログラムのセグメント単位でスケジューリングするスケジューラのブロック図である。
【図１】
2005073244.tif 000003
【図２】
2005073244.tif 000004
【図３】
2005073244.tif 000005
【図４Ａ】
2005073244.tif 000006
【図４Ｂ】
2005073244.tif 000007
【図４Ｃ】
2005073244.tif 000008
【図５】
2005073244.tif 000009